(57)【特許請求の範囲】
【請求項１】
便器桶本体と、この便器桶本体及び洋式便器の洋式便座に載置可能な幼児用便座とを備えた幼児用便器において、
前記幼児用便座の下部には、
前記幼児用便座の左右方向に対向して設けられる少なくとも左右一対のスライドレールと、
前記左右の各スライドレールにそれぞれスライド可能に保持され、前記洋式便器の前記洋式便座の開口内縁にそれぞれ当接する少なくとも一対の固定具とを備え、
前記便器桶本体の桶開口上面に、前記洋式便器の洋式便座に載置した幼児用便座に代わり、前記便器桶本体の桶開口上面を塞ぎ、幼児が昇降する際の踏み台となる天板を着脱可能に固定できるようにしていることを特徴とする幼児用便器。
【請求項２】
請求項１に記載の幼児用便器であって、
前記便器桶本体の下部には、前記桶開口上面から取り外した前記天板を収納する天板収納部を形成していることを特徴とする幼児用便器。
【請求項３】
請求項１又は請求項２に記載の幼児用便器であって、
前記便器桶本体の上部には、前記幼児用便座を載置した際に、前記固定具がはまり込む凹部を形成していることを特徴とする幼児用便器。
【発明の詳細な説明】
【０００１】
【発明の属する技術分野】
この発明は、幼児用便器に関し、特に種々のサイズの洋式便器の洋式便座に取り付けることができるようにしたものである。
【０００２】
【従来の技術】
従来、この種の幼児用便器としては、便器桶本体と、この便器桶本体に載置可能な幼児用便座とを備えたものが知られている（例えば実開平６−６６４９５号公報）。
上記幼児用便座は、便器桶本体から取り外し後、洋式便器の洋式便座に載置できるようになっている。
【０００３】
【発明が解決しようとする課題】
しかし、上記した従来の幼児用便器では、洋式便器の洋式便座のサイズが異なると、幼児用便座の載置が困難になったり、不具合を生ずるおそれがあるという問題点があった。
すなわち、洋式便座は、種々のサイズのものがある。
【０００４】
例えば、洋式便座のサイズが大きいと、幼児用便座がガタ付くおそれがあり、不安定である。
逆に、洋式便座のサイズが小さいと、幼児用便座の載置が困難となったり、或いは不可能となる。
そこで、請求項１〜３記載の各発明は、上記した従来の技術の有する問題点に鑑みてなされたものであり、その目的とするところは、次の点にある。
【０００５】
すなわち、左右の固定具を各スライドレールにそれぞれ沿ってスライドすることで、種々のサイズの洋式便器の洋式便座に幼児用便座を取り付けることができるようにしたものである。
【０００６】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものでない。
【０００７】
また、図面番号も、発明の実施の形態において用いた図番を示し、本発明の技術的範囲を限定するものではない。
（請求項１）
請求項１記載の発明は、次の点を特徴とする。
第一に、例えば図１に示すように、便器桶本体(20)と、この便器桶本体(20)及び洋式便器(40)の洋式便座(41)に載置可能な幼児用便座(30)とを備えた幼児用便器(10)である。
【０００８】
第二に、幼児用便座(30)の下部には、次の構成を備える。
（１）少なくとも左右一対のスライドレール(34)
少なくとも左右一対のスライドレール(34)は、例えば図９に示すように、幼児用便座(30)の左右方向に対向して設けられるものである。
（２）少なくとも一対の固定具(80)
少なくとも一対の固定具(80)は、例えば図１０〜１１に示すように、左右の各スライドレール(34)にそれぞれスライド可能に保持され、洋式便器(40)の洋式便座(41)の開口内縁にそれぞれ当接するものである。
【０００９】
第三に、便器桶本体(20)の桶開口上面(21)に、洋式便器(40)の洋式便座(41)に載置した幼児用便座(30)に代わり、図１及び図１２に示すように、便器桶本体(20)の桶開口上面(21)を塞ぎ、幼児が昇降する際の踏み台となる天板(50)を着脱可能に固定できるようにしている。
（請求項２）
請求項２に記載の発明は、上記した請求項１に記載の発明の特徴点に加え、次の点を特徴とする。
【００１０】
すなわち、便器桶本体(20)の下部には、例えば図３に示すように、天板収納部(22)を形成する。
天板収納部(22)は、例えば図３に示すように、桶開口上面(21)から取り外した天板(50)を収納するものである。
（請求項３）
請求項３に記載の発明は、上記した請求項１又は請求項２に記載の発明の特徴点に加え、次の点を特徴とする。
【００１１】
すなわち、便器桶本体(20)の上部には、例えば図７に示すように、凹部(93)を形成する。
凹部(93)は、例えば図７に示すように、幼児用便座(30)を載置した際に、固定具(80)がはまり込むものである。
【００１２】
【発明の実施の形態】
（符号の説明）
図１〜１２は、本発明の実施の形態の一例を示すものである。
図１は、幼児用便座を洋式便器に装着した状態を示す斜視図、図２は幼児用便座を便器桶本体に装着した状態を示す斜視図、図３は図２の分解断面図、図４は便器桶本体の底面図、図５は天板の平面図、図６は図２の断面図、図７は図２の他の断面図、図８は図１の側面図、図９は図８の平面図、図１０は図９のＸ−Ｘ線に沿う断面図、図１１は図９の要部拡大断面図、図１２は天板を便器桶本体の上面に装着した状態を示す断面図をそれぞれ示す。
（幼児用便器）
図中、10は、幼児用便器を示すものである。
【００１３】
上記幼児用便器10は、図３に示すように、大別すると、便器桶本体20と、この便器桶本体20に載置可能な幼児用便座30とを備えている。
上記幼児用便座30は、幼児の成長に伴い、便器桶本体20から取り外し、図１に示すように、洋式便器40の洋式便座41に載置して使用できる。
上記便器桶本体20の底には、図３に示すように、天板50が着脱可能に装着されている。天板50は、便器桶本体20から取り外して、図１，１２に示すように、便器桶本体20の上面に装着することで、桶開口上面21を天板50により塞ぐことができる。これにより、図１に示すように、天板50上に幼児の足が載せられ、幼児が洋式便器40の洋式便座41に載置された幼児用便座30に乗り降りする際に、便座桶本体20を踏み台として使用できる。
【００１４】
また、幼児用便座30には、図３に示すように、その前方に位置し、幼児がつかまるための着脱可能なハンドル60と、幼児用便座30の開口上面を塞ぐための蓋体70と、その下面左右に位置し、洋式便器40の洋式便座41に固定する際に使用される左右一対の固定具80とを装着できるようにしている。
つぎに、上記した各構成を更に詳しく説明する。
（便器桶本体）
まず、便器桶本体20は、図３に示すように、凹状に窪んだ桶部90と、この桶部90の開口上縁部から折り返し状に下方に向かって延び、桶部90の周囲を取り囲む側壁部100とを備えている。そして、側壁部100の下端部を、桶部90の底面より下方に長く延出させることで、側壁部100で囲まれた内部に、天板50がはまり込む、下面が開放した中空な天板収納部22を形成している。
【００１５】
上記桶部90の上縁部には、図３，４に示すように、その四方に位置し、上下に貫通した４つの係止孔91を形成し、これらの係止孔91を使用して幼児用便座30及び天板50を固定できるようにしている。各係止孔91には、上方に向かって円錐台形形に隆起した突縁部92を形成している。
また、桶部90の上縁部の左右には、図３，７に示すように、幼児用便座30の固定具80がはまり込む左右一対の凹部93が形成されている。各凹部93は、固定具80の左右方向の移動を考慮し、固定具80より大きく設定され、また、その側面が桶開口内部に向かって開放している。
【００１６】
前記側壁部100の下端部の四方には、図３に示すように、その四方に４つのゴム足110が装着され、床に載置した際に滑らないようにしている。
また、前記天板収納部22の内部には、図３，４に示すように、桶部90の底面から下方に延びた４個の係止片94を形成し、これらの係止片94を使用して桶部90の底面に天板50を固定できるようにしている。
（天板）
すなわち、天板50の内面には、図３，５に示すように、補強を兼ねた多数のリブ51を形成している。そして、これらのリブ51が、図７に示すように、左右に対向した一対の係止片94の間隔内にはまり込むことで、天板50が天板収納部22の開口下面から落下しないようにしている。
【００１７】
また、天板50の内面には、図３，５に示すように、便器桶本体20の４個の係止孔91にそれぞれはまり込む４個の係合突起52が形成されている。各係合突起52は、円筒形を成し、その直径を係止孔91の内径より僅かに大きく設定することで、図１２に示すように、係止孔91内に圧入できるようにしている。また、各係合突起52を、先細状に形成することで、係止孔91に挿入し易くしている。
【００１８】
さらに、各係合突起52の全長を、図３に示すように、係止孔91の上下の高さより長く設定している。このため、係止孔91に圧入された係合突起52の先端部が、図１２に示すように、係止孔91より下方に突出する。そして、係合突起52の突出端を、便器桶本体20の開放下面から叩くことで、係合突起52を係止孔91から容易に抜き取ることができるようにしている。
【００１９】
また、上記天板50の上下の厚みは、図３に示すように、天板収納部22の上下の間隔より薄く設定されている。このため、天板50を桶部90の底面に固定した際に、図６，７に示すように、側壁部100に装着したゴム足110が床に接した状態で、天板50の表面が床に接しない。
そして、天板50の表面には、図１に示すように、幼児が足を載せた際に滑らないようにするために、多数の窪み部53が形成されている。
【００２０】
また、天板50の周囲には、図５に示すように、前後位置を示す凹状の１個の幅広な前側嵌合部54と、前側嵌合部54より幅狭な左右一対の後側嵌合部55,55とを形成している。
これに対し、側壁部100の下端部にも、図４に示すように、天板50の前側嵌合部54にはまり込む凸状の２個の前側嵌入部101,101と、天板50の後側嵌合部55,55にはまり込む凸状の２個の後側嵌入部102,102とを形成している。
（幼児用便座）
前記幼児用便座30には、図３に示すように、その前方上面に、ハンドル取付ねじ120が通る取付孔31を形成し、図６に示すように、この取付孔31の下方からハンドル60にハンドル取付ねじ120をねじ込んで固定できるようにしている。これに対し、ハンドル60の下面には、図３に示すように、ハンドル取付ねじ120がねじ込まれる円筒形のボス61を形成している。
【００２１】
また、幼児用便座30の下面には、図３に示すように、便器桶本体20の４個の係止孔91にそれぞれはまり込む４本の脚部32を形成する。各脚部32は、円筒形を成し、その直径を係止孔91の内径以下に設定している。また、各脚部32の先端部には、例えばゴム製の弾性部材130をはめ込み、幼児用便座30を洋式便器40の洋式便座41に載置した際に、図１０に示すように、弾性部材130が洋式便座41の上面に弾性的に当接するようにしている。
【００２２】
さらに、幼児用便座30の下面の左右には、図３に示すように、固定具80を取り付ける左右一対の固定孔33を形成し、図９，１０に示すように、各固定孔33に固定具取付ねじ140を使用して固定具80をそれぞれ固定する。また、各固定孔33の前後には、固定具80をスライド可能にガイドする前後一対のスライドレール34,34を形成している。
（固定具）
これに対し、各固定具80は、図３に示すように、略ブリッジ形を成し、その上面には固定具取付ねじ140が通る左右に長い長孔81を形成している。このため、各固定具80は、図９，１０に示すように、その長孔81に沿って固定具取付ねじ140が左右に相対的に移動することで、左右の固定具80が、幼児用便座30に対し、左右方向に個々にスライド可能となっている。
【００２３】
また、前後のスライドレール34と、これらのスライドレール34に摺接する固定具80の上面との間には、図１１に示すように、互いにかみ合う波形部35,82の一方をそれぞれに形成し、不用意に固定具80がスライドしないようにしている。
各固定具80は、図１１に示すように、洋式便器40の洋式便座41の開口内縁に当接し、幼児用便座30がガタ付かないようにするものである。また、固定具80をスライド可能としたのは、洋式便座41の形状がメーカにより異なることを考慮したものである。
（ハンドル）
また、前記ハンドル60は、図２に示すように、ねずみの頭部を模した形状を成し、その耳に当たる部分を握り部62として、幼児がつかめるようにしている。
【００２４】
また、蓋体70の上面には、図２，３に示すように、着脱時につかめるように、取っ手71を形成してある。
（使用方法）
つぎに、上記した構成を備えた幼児用便器10の使用手順について以下に説明する。
【００２５】
まず、幼児が小さいうちには、図２に示すように、幼児用便座30を便器桶本体20の上に載置して使用する。
そして、幼児が洋式便器40を使用できるようになると、幼児用便座30を便器桶本体20から外し、図１に示すように、洋式便器40の洋式便座41上に載置する。
このとき、幼児用便座30の左右の固定具80を、図１０に示すように、洋式便座41の便座開口内に合わせて挿入する。このとき、左右の固定具80が、洋式便座41の内側縁に当接し、幼児用便座30をガタ無く固定できる。
【００２６】
なお、このとき、左右の固定具80が、洋式便座41の内側縁から離れていたり、或いは便座上面に干渉する場合には、固定具取付ねじ140を緩めて、固定具80をスライドさせ、固定具80が、洋式便座41の内側縁に沿うように調節する。
洋式便座41上に載せた幼児用便座30への幼児の昇降は、大人が幼児を持ち上げて幼児用便座30に座らせてもよいし、便器桶本体20を、図１に示すように、踏み台として使用してもよい。
【００２７】
便器桶本体20を踏み台として使用する場合には、便器桶本体20の底部から天板50を取り外す。つぎに、図１２に示すように、天板50を便器桶本体20上に載置する。このとき、天板50の４本の係合突起52を、便器桶本体20の各係止孔91に合わせて上方より挿入する。そして、天板50を便器桶本体20に向かって押さえ付けることで、４本の係合突起52を各係止孔91内に圧入する。これにより、天板50が便器桶本体20から外れなくなる。
【００２８】
その後、便器桶本体20を、図１に示すように、洋式便器40の横に置くことで、昇降時に幼児が天板50の上に足を載せられ、便器桶本体20を踏み台として使用できる。
また、幼児用便座30のハンドル60が不要になった場合には、そのハンドル取付ねじ120を緩めることで、幼児用便座30から取り外すことができる。
【００２９】
なお、図面に示した実施例では、天板50のリブ51と、便器桶本体20の係止片94とを利用して、天板50を便器桶本体20の底部に固定したが、これに限らず、便器桶本体20と天板50との間に、互いに係合する凹凸部の一方をそれぞれに形成してもよい。さらに、天板50を便器桶本体20にねじ止めできるようにしても良い。
また、天板50の係合突起52を、便器桶本体20の係止孔91に圧入したが、便器桶本体20の係止孔91を利用せずに、便器桶本体20と天板50との間に、互いに係合する凹凸部の一方をそれぞれに形成しておいてもよい。
【００３０】
さらに、便器桶本体20を踏み台として使用している際には、取り外したハンドル60を桶内部に収納できるように、ハンドル60の寸法を設定しておいてもよく、このようにすると、ハンドル60の格納場所に困らないようにできる。
【００３１】
【発明の効果】
本発明は、以上のように構成されているので、以下に記載されるような効果を奏する。
（請求項１）
請求項１記載の発明によれば、次のような効果を奏する。
【００３２】
すなわち、左右の固定具を各スライドレールにそれぞれ沿ってスライドすることで、種々のサイズの洋式便器の洋式便座に幼児用便座を取り付けることができる。
これに加えて、便器桶本体の桶開口上面に天板を装着することで、当該便器桶本体を幼児が昇降する際の踏み台として使用できる。
（請求項２）
請求項２に記載の発明によれば、上記した請求項１に記載の発明の効果に加え、次のような効果を奏する。
【００３３】
すなわち、桶開口上面から取り外した天板を、便器桶本体の下部に形成された天板収納部に収納できる。
（請求項３）
請求項３に記載の発明によれば、上記した請求項１又は請求項２に記載の発明の効果に加え、次のような効果を奏する。
【００３４】
すなわち、幼児用便座の固定具を、便器桶本体の上部に形成された凹部にはめ込むことができる。
【図面の簡単な説明】
【図１】  幼児用便座を洋式便器に装着した状態を示す斜視図である。
【図２】  幼児用便座を便器桶本体に装着した状態を示す斜視図である。
【図３】  分解断面図である。
【図４】  便器桶本体の底面図である。
【図５】  天板の平面図である。
【図６】  図２の断面図である。
【図７】  図２の他の断面図である。
【図８】  図１の側面図である。
【図９】  図８の平面図である。
【図１０】  図９のＸ−Ｘ線に沿う断面図である。
【図１１】  図９の要部拡大断面図である。
【図１２】  天板を便器桶本体の上面に装着した状態を示す断面図である。
【符号の説明】
10  幼児用便器        20  便器桶本体
21  桶開口上面        22  天板収納部
30  幼児用便座        31  取付孔
32  脚部              33  固定孔
34  スライドレール    35  波形部
40  洋式便器          41  洋式便座
50  天板              51  リブ
52  係合突起          53  窪み部
54  前側嵌合部        55  後側嵌合部
60  ハンドル          61  ボス
62  握り部            70  蓋体
71  取っ手            80  固定具
81  長孔              82  波形部
90  桶部              91  係止孔
92  突縁部            93  凹部
94  係止片           100  側壁部
101  前側嵌入部       102  後側嵌入部
110  ゴム足           120  ハンドル取付ねじ
130  弾性部材         140  固定具取付ねじ
【図１】
0003643668.tif 000002
【図２】
0003643668.tif 000003
【図３】
0003643668.tif 000004
【図４】
0003643668.tif 000005
【図５】
0003643668.tif 000006
【図６】
0003643668.tif 000007
【図７】
0003643668.tif 000008
【図８】
0003643668.tif 000009
【図９】
0003643668.tif 000010
【図１０】
0003643668.tif 000011
【図１１】
0003643668.tif 000012
【図１２】
0003643668.tif 000013